(57)【要約】【課題】複数の接点を有するレンズに対し、それぞれの接点にカメラが直接もしくはアダプタを介して接続されたとしても、不適切な動作をすることを防止する。【解決手段】カメラＣＭＲと、一方の装着側に信号の授受を行う第１の接点ＭＣＮＴをもち、他方の装着側に信号の授受を行う第２の接点ＲＣＮＴをもつレンズとにより成るカメラシステムであって、前記レンズの前記第１および第２の接点それぞれにカメラが直接あるいはアダプタＲＡＤＰを介して電気的に接続された場合は、前記第１および第２の接点それぞれでの信号の授受を無効にする、もしくは、一方の接点でのみ信号の授受を有効とする。【選択図】        図２
2004361625.tif 000002
【特許請求の範囲】
【請求項１】
カメラと、
一方の装着側にカメラが装着された際に該カメラの接点と電気的に接続され、信号の授受を行う第１の接点と、他方の装着側にカメラが直接あるいはアダプタを介して装着された際に該カメラあるいは該アダプタの接点と電気的に接続され、信号の授受を行う第２の接点とを有するレンズとにより成るカメラシステムであって、
前記レンズの前記第１および第２の接点それぞれにカメラが直接あるいはアダプタを介して電気的に接続された場合は、前記第１および第２の接点それぞれでの信号の授受を無効にする、もしくは、一方の接点でのみ信号の授受を有効とすることを特徴とするカメラシステム。
【請求項２】
一方の装着面側にカメラが装着された際に該カメラの接点と電気的に接続され、信号の授受を行う第１の接点と、他方の装着面側にカメラが直接あるいはアダプタを介して接続された際に該カメラあるいは該アダプタの接点と電気的に接続され、信号の授受を行う第２の接点と、前記第１および第２の接点それぞれにカメラが直接あるいはアダプタを介して装着された場合は、前記第１および第２の接点での信号の授受を無効にする、もしくは、一方の接点でのみ信号の授受を有効とする接点選択手段とを有することを特徴とするレンズ。
【請求項３】
一方のレンズ端面側に信号の授受を行う第１の接点をもち、他方の端面側に信号の授受を行う第２の接点をもつレンズが装着された際、前記第１の接点あるいは前記第２の接点に直接もしくはアダプタを介して電気的に接続される接点を有するカメラであって、
前記レンズが装着された際、前記第１の接点あるいは前記第２の接点を介して通信を行い、該通信にて得られる情報に含まれる前記レンズへの電源供給要否情報に基づいて、前記レンズへの電源供給の要否を決定することを特徴とするカメラ。
【発明の詳細な説明】
【０００１】
【発明の属する技術分野】
本発明は、接写撮影などの目的でレンズを逆付可能なカメラシステム、もしくはこの種のカメラシステムに用いられるレンズやカメラに関するものである。
【０００２】
【従来の技術】
従来より、接写時等の光学性能の向上のためにカメラに対してレンズを逆付する撮影手法が知られているが、このようにレンズを逆付する場合、レンズ先端のフィルタネジを利用して機械的にカメラと接続可能なアダプタを先端に装着し、カメラに取り付けていた。この場合、単に機械的にカメラのマウントにレンズ先端が付いているだけで、カメラから絞りの制御やレンズの情報の検知はできない。これに対し、カメラとレンズのマウント面での接続が電気接点、すなわち電子マウントになると、特許文献１にあるようにアダプタを利用してレンズを逆付した場合でも、レンズの電子マウントの信号を信号線を介してレンズ先端のカメラ側まで延長し、カメラから自動絞りなどの制御やレンズの情報の取得が可能となる。
【０００３】
しかし、上記特許文献１のようにレンズマウントの信号をレンズ先端に延ばすアダプタでは、信号線が長くなり高速通信に向かない、長さの異なる様々なレンズに対応するために最長のレンズに合わせた延長ケーブルを用いなくてはならない、レンズの先端からマウント部まで這う延長ケーブルが邪魔になる、などの問題があった。
【０００４】
【特許文献１】
特開平０５−１４２６３６号公報
【０００５】
【発明が解決しようとする課題】
そこで、上記延長ケーブルを無くすために、上記特許文献１ではマウント部と螺合する単にねじ部が設けられていたレンズの先端にマウント部同様の電気接点を設け、中間リングの如きアダプタを経由して、または直接、カメラに取り付けられるようなレンズを構成することが考えられる。しかしながらこの場合、逆付用のレンズマウントと本来のレンズマウントにともにカメラを装着できることになるため、仮に両方のマウントにそれぞれカメラが装着された場合、電気接点を介する信号がレンズのマウント側のカメラと先端側のカメラで競合するという問題が生じる。
【０００６】
（発明の目的）
本発明の目的は、複数の接点を有するレンズに対し、それぞれの接点にカメラが直接もしくはアダプタを介して接続されたとしても、不適切な動作をすることを防止することのできるカメラシステム、レンズおよびカメラを提供しようとするものである。
【０００７】
【課題を解決するための手段】
上記目的を達成するために、請求項１に記載の発明は、カメラと、一方の装着側にカメラが装着された際に該カメラの接点と電気的に接続され、信号の授受を行う第１の接点と、他方の装着側にカメラが直接あるいはアダプタを介して装着された際に該カメラあるいは該アダプタの接点と電気的に接続され、信号の授受を行う第２の接点とを有するレンズとにより成るカメラシステムであって、前記レンズの前記第１および第２の接点それぞれにカメラが直接あるいはアダプタを介して電気的に接続された場合は、前記第１および第２の接点それぞれでの信号の授受を無効にする、もしくは、一方の接点でのみ信号の授受を有効とするカメラシステムとするものである。
【０００８】
同じく上記目的を達成するために、請求項２に記載の発明は、一方の装着面側にカメラが装着された際に該カメラの接点と電気的に接続され、信号の授受を行う第１の接点と、他方の装着面側にカメラが直接あるいはアダプタを介して装着された際に該カメラあるいは該アダプタの接点と電気的に接続され、信号の授受を行う第２の接点と、前記第１および第２の接点それぞれにカメラが直接あるいはアダプタを介して接続された場合は、前記第１および第２の接点での信号の授受を無効にする、もしくは、一方の接点でのみ信号の授受を有効とする接点選択手段とを有するレンズとするものである。
【０００９】
同じく上記目的を達成するために、請求項３に記載の発明は、一方のレンズ端面側に信号の授受を行う第１の接点をもち、他方の端面側に信号の授受を行う第２の接点をもつレンズが装着された際、前記第１の接点あるいは前記第２の接点に直接もしくはアダプタを介して電気的に接続される接点を有するカメラであって、前記レンズが装着された際、前記第１の接点あるいは前記第２の接点を介して通信を行い、該通信にて得られる情報に含まれる前記レンズへの電源供給要否情報に基づいて、前記レンズへの電源供給の要否を決定するカメラとするものである。
【００１０】
上記構成においては、カメラを両端側にそれぞれ直接もしくはアダプタを介して電気的に接続可能とする第１の接点と第２の接点を有するレンズを構成した場合、それぞれの接点に対してカメラを同時に電気的に接続可能であり、その際にはレンズと各カメラとの間で適切が信号の授受が不能となるため、それぞれの接点に対してカメラが電気的に接続された場合は、前記第１および第２の接点それぞれでの信号の授受を無効にするか、一方の接点でのみ信号の授受を有効、具体的には前記第１の接点と前記第２の接点のいずれのカメラに優先権があるかを判定し、この判定結果をもとに一方の接点でのみ信号の授受を有効（先に接続された方を優先する等）とするようにしている。
【００１１】
【発明の実施の形態】
以下、本発明を図示の実施の形態に基づいて詳細に説明する。
【００１２】
本発明の実施の形態においては、制御装置としてワンチップマイコンを内蔵したレンズ交換式カメラと、同じくワンチップマイコンを内蔵したレンズと、カメラに対してレンズを逆付可能にする逆付アダプタとからなるカメラシステムの例を示す。
【００１３】
図１はマウント部と先端部に電気接点を持つ本発明の実施の一形態に係るレンズを示す図である。
【００１４】
同図において、ＭＣＮＴはレンズのマウント側電気接点群であり、このマウント側電気接点群が通常カメラのマウント部と接続される部分である。ＲＣＮＴはレンズ先端側電気接点群であり、レンズを逆付する場合に後述の逆付アダプタと接続される部分である。ＬＰＲＳはレンズの制御を行うレンズ制御用マイコンであり、詳細は後述する。簡単のためにレンズ制御用マイコンＬＰＲＳからレンズのマウント側電気接点ＭＣＮＴとレンズ先端側電気接点群ＲＣＮＴに単純に線を引いてあるが、実際には図６の説明にあるような構成となっており、複数の信号線からなる通信経路となっている。
【００１５】
図２は本発明の実施の一形態に係る、カメラとレンズと逆付アダプタの組み合わせを示す図であり、ＣＭＲはレンズ交換可能なカメラ、ＬＮＳは２個所に電気接点を持つ図１に示したレンズ、ＲＡＤＰは逆付アダプタである。
【００１６】
通常のレンズのカメラへの装着は図２に示す通り、レンズＬＮＳのマウント側がカメラＣＭＲと結合されて、レンズＬＮＳの電気接点群ＭＣＮＴとカメラＣＭＲの電気接点群ＣＣＮＴとにより電子回路上の接続が行われるようになっている。
【００１７】
図３（ａ），（ｂ）に、図２の矢印Ｃ，Ｄの方向より見たカメラＣＭＲおよびレンズＬＮＳの各電気接点群を示す。図２の矢印Ｃの方向から見た図３（ａ）がカメラＣＭＲに具備されている電気接点群ＣＣＮＴを示すものであり、図２の矢印Ｄの方向から見た図３（ｂ）がレンズＬＮＳに具備された電気接点群ＭＣＮＴを示すものである。
【００１８】
レンズＬＮＳをカメラＣＭＲに逆に付ける場合は、逆付アダプタＲＡＤＰをレンズＬＮＳの先端部に取り付け、電気接点群ＲＣＮＴとＬＣＮＴを接続するとともに、これを図２とは左右反対にカメラＣＭＲに向けて結合して、逆付アダプタＲＡＤＰの電気接点群ＡＣＮＴとカメラＣＭＲの電気接点群ＣＣＮＴを接続する。なお、逆付アダプタＲＡＤＰに具備される電気接点群ＬＣＮＴと電気接点群ＡＣＮＴは図２や後述の図６に示すように電気的に接続されており、該逆付アダプタＲＡＤＰにレンズＬＮＳやカメラＣＭＲが装着された際に、接続された方の電気接点群からの信号を他方の電気接点群にそのまま伝達できる構造になっている。
【００１９】
図４（ａ），（ｂ）に、図２の矢印Ａ，Ｂ方向より見たレンズＬＮＳおよび逆付アダプタＲＡＤＰの各電気接点群を示す。図２の矢印Ａの方向から見た図４（ａ）がレンズＬＮＳの電気接点群ＲＣＮＴを示すものであり、図２の矢印Ｂの方向から見た図４（ｂ）が逆付アダプタＲＡＤＰの電気接点群ＬＣＮＴを示すものである。なお、不図示であるが、逆付アダプタＲＡＤＰの前記電気接点群ＬＣＮＴとは反対の端面に具備される電気接点群ＡＣＮＴは、図３（ａ）に示すカメラＣＭＲの電気接点群ＣＣＮＴと接続可能な位置（半径位置）に設けられている。
【００２０】
レンズＬＮＳをカメラＣＭＲに逆に付けた場合、レンズＬＮＳとカメラＣＭＲは逆付アダプタＲＡＤＰを経由して、電子回路上の接続が行われる。なお、逆付アダプタＲＡＤＰは、レンズＬＮＳの先端部に取り付けられても、レンズＬＮＳがカメラＣＭＲ内で被写体像を適正に結ぶことができるように被写体からの光路を遮らないような構造になっていることは言うまでもない。
【００２１】
図５はカメラＣＭＲの上面図であり、カメラＣＭＲの上面には、撮影時に使用されるレリーズスイッチＲＬＳＳＷや撮影に必要な設定などを行う操作部材ＬＥＶＥＲが具備されている。その他、種々の部材が具備されているが、本発明とは直接関係ないので省略する。
【００２２】
上記のレリーズスイッチＲＬＳＳＷは押圧式の一つのスイッチ部材であるが、内部は図６の説明で述べるスイッチＳＷ１およびＳＷ２という公知の二段式のスイッチが組み込まれている。
【００２３】
図６は、図２に示すカメラシステム（カメラＣＭＲとレンズＬＮＳと逆付アダプタＲＡＤＰの組み合わせ）の回路構成を示すブロック図であり、本発明と直接関係ない部分の詳細な説明は省略する。
【００２４】
まず、カメラＣＭＲ内の回路構成について説明する。
【００２５】
ＰＲＳはカメラの制御を行うカメラ制御用マイコンであり、内部にマイクロプロセッサＭＰＵ、そのプログラムを格納する不揮発性のメモリＲＯＭ、データなどを主に格納する読み書き可能なメモリＲＡＭなどを内蔵している。また、シリアル通信用に出力ポートＳＯ、入力ポートＳＩ、クロック信号ポートＳＣＬＫを備えている。シリアル通信の相手を指定するためにチップセレクト用のポートも備えている。ＣＤＤＲは液晶表示マイコンとの通信を行うために利用されるチップセレクトポートである。ＳＷ１とＳＷ２は図５に示したレリーズスイッチＲＬＳＳＷの各々半押しと全押しでＯＮになる二段式のスイッチである。ＣＳＤＲはＡＦセンサＳＮＳを制御するドライバＳＤＲとの通信を選択するためのチップセレクト信号である。
【００２６】
ＣＬＣＭはレンズＬＮＳを制御するドライバＬＣＭとの通信を選択するためのチップセレクトである。Ｍ１ＦとＭ１Ｒはカメラ内蔵のモータを制御するドライバＭＤＲ１，ＭＤＲ２にモータ回転の指示を与えるポートである。ＭＧ１とＭＧ２はシャッタの制御をする電磁石であり、ＳＭＧ１，ＳＭＧ２のポートでＯＮ／ＯＦＦされる。Ａ／ＤはＡＦセンサＳＮＳやＡＥセンサＳＰＣからのアナログ出力信号をマイコンＰＲＳに取り込むためのＡＤ変換器である。ＥＥＰＲＯＭは書き変え可能な不揮発のメモリであり、電池が切れた場合でも記憶しておくべき情報を格納しておく。また、不図示であるが、電池から得られる出力を本回路で利用する電圧に変換して供給するＤＣＤＣコンバータも有している。電源供給回路について逐一記すと図が繁雑になるので省略してあるが、ドライバＬＣＭから信号ラインＶＬに出力してレンズＬＮＳに供給する電力もここから得られる。ＤＤＲは表示部ＤＳＰを制御するＬＣＤドライバを持つ表示用マイコンであり、内部にマイクロプロセッサＬＰＵと不揮発メモリのＲＯＭ、読み書き可能なＲＡＭを持つ。表示部ＤＳＰはカメラ本体に配置されたＯＬＣとファインダを覗いた時に見ることができるよう配置されたＩＬＣがある。
【００２７】
次に、点線枠で示した交換式のレンズＬＮＳ内の回路構成について説明する。ＤＭＴＲは絞り駆動モータ、ＥＮＣＦは焦点調節系の駆動位置のセンサ、ＬＭＴＲは焦点調節用モータである。ＬＰＲＳはレンズ制御用マイコンである。
【００２８】
レンズ制御用マイコンＬＰＲＳはエンコーダＳＥＮＣＦを介して焦点調節用のセンサＥＮＣＦの情報を読み取り、信号ラインＬＭＦ，ＬＭＲからモータ制御信号を出力することで焦点調節制御が可能である。また、信号ラインＤＭＳから絞り制御信号を出力することで絞り駆動制御が可能である。信号ラインＲＥＮＡとＭＥＮＡはレンズの通信接点切換器ＳＥＬＣＮＴを制御する。
【００２９】
通信接点切換器ＳＥＬＣＮＴはＬＣＳ，ＣＬＳ，ＣＬＫのシリアル通信経路を電気接点群ＭＣＮＴ（ＬＣＳ１，ＣＬＳ１，ＣＬＫ１）に接続するか、電気接点群ＲＣＮＴ（ＬＣＳ２，ＣＬＳ２，ＣＬＫ２）に接続するかを切り換えられるようになっている。電気接点群ＲＣＮＴ側の接点は点線枠で示される逆付アダプタＲＡＤＰの電気接点群ＬＣＮＴに接続する側の接点となっている。逆付アダプタＲＡＤＰの電気接点群ＡＣＮＴは、図２で説明したようにレンズＬＮＳをカメラＣＭＲに逆に付する場合に、カメラＣＭＲの電気接点群ＣＣＮＴと接続されることになる接点である。
【００３０】
ＶＬ１ＳＷはレンズＬＮＳのマウント側にカメラＣＭＲが装着されたことを検知するためのスイッチであり、ＶＬ２ＳＷはレンズＬＮＳの先端側に逆付アダプタＲＡＤＰが装着されたことを検知するためのスイッチである。ＥＳＷＶＬ１は電気接点群ＭＣＮＴの駆動電源ラインのＯＮ／ＯＦＦが可能な電子スイッチであり、ＥＳＷＶＬ２は電気接点群ＲＣＮＴの駆動電源ラインのＯＮ／ＯＦＦが可能な電子スイッチであり、いずれもレンズ制御用マイコンＬＰＲＳにより制御される。各電気接点群（ＡＣＮＴ，ＬＣＮＴ，ＣＣＮＴ，ＲＣＮＴ，ＭＣＮＴ）は上記のシリアル通信経路と駆動電源ラインの他の詳細は略しているが、電子回路の接続上必要なグランド端子なども含んでいる。
【００３１】
次に、カメラＣＭＲにレンズＬＮＳが装着された際のレンズ制御用マイコンＬＰＲＳの制御（ソフトウェアによりレンズＬＮＳのマウント側と先端側両方から同時に駆動電源供給や制御命令を行うのを防ぐ例）について、図７のフローチャートを用いて説明する。
【００３２】
まず、最初にレンズＬＮＳがカメラＣＭＲに取り付けられるとレンズＬＮＳ内のレンズ制御用マイコンＬＰＲＳが起動を開始する（＃７００→＃７０１）。起動すると該マイコンＰＲＳはスイッチＶＬ１ＳＷの状態を読み（＃７０２）、次いで、スイッチＶＬ１ＳＷがＯＮであったか否かの判定を行う。この結果、スイッチＶＬ１ＳＷがＯＮであった場合（＃７０３のＹＥＳ）は電子スイッチＥＳＷＶＬ２の切断処理を行う（＃７０５）。これは、電子スイッチＥＳＷＶＬ２を利用して電気接点群ＲＣＮＴ側の駆動電源ラインをＯＦＦするためである。
【００３３】
一方、スイッチＶＬ１ＳＷがＯＮでなかった場合（＃７０３のＮＯ）は今度はスイッチＶＬ２ＳＷの状態を読み（＃７０４）、次いで、このスイッチＶＬ２ＳＷがＯＮであったか否かの判定を行い、ＯＮであれば（＃７０６のＹＥＳ）、電子スイッチＥＳＷＶＬ１の切断処理を行う（＃７０７）。これは、電子スイッチＥＳＷＶＬ１を利用して電気接点群ＭＣＮＴ側の駆動電源ラインをＯＦＦするためである。
【００３４】
以上のような駆動電源ラインのＯＮ／ＯＦＦ制御を行うことにより、レンズＬＮＳにカメラＣＭＲが同時に２台取り付けられたとしても、レンズ起動時に、まずどちらかのカメラの駆動電源を切断するようにして、２台のカメラの駆動電源供給が１本のレンズに同時に行われることがなくなる。
【００３５】
上記ステップ＃７０５又はステップ＃７０７の処理を終えた後、あるいはステップ＃７０６でＹＥＳであった場合はいずれもステップ＃７０８へ進み、以下の図８にて示すカメラＣＭＲからの通信要求などに対する一連の制御シーケンスを実行する。
【００３６】
次に、レンズＬＮＳが装着された場合のカメラＣＭＲ側のカメラ制御用マイコンＰＲＳの制御シーケンスの例を、図８のフローチャートを用いて説明する。
【００３７】
図８のステップ＃８００にて、レンズＬＮＳが取り付けられたことをカメラ制御用マイコンＰＲＳが検知したものとする。すると、該マイコンＰＲＳはレンズＬＮＳと通信を行い、情報を得る（＃８０１）。そして、この情報中よりレンズ駆動電源「入」の許可判定を行い、レンズ駆動電源「入」が許可されていれば（＃８０２のＹＥＳ）、レンズ駆動電源「入」を実行する（＃８０４）。そして、その他の処理を行い（＃８０６）、その後はステップ＃８０１へ戻り、再度通信を行い、次のステップ＃８０２にてレンズ駆動電源「入」の許可判定を行ってレンズ駆動電源「入」の許可条件が成立したままであれば、何も変わらなく同様の制御が繰り返される。
【００３８】
一方、レンズ駆動電源「入」が不許可であった場合（＃８０２のＮＯ）、つまり図７のステップ＃７０５や＃７０７で通信接点切換器ＳＥＬＣＮＴにより電子スイッチＥＳＷＶＬ２又はＥＳＷＶＬ１が切断されたような場合は、そのような電子スイッチに接続される側のカメラＣＭＲよりのレンズＬＮＳへの電源供給を行わないようにするために、レンズ駆動電源「切」を実行する（＃８０３）。但し、これ以降も上記ステップ＃８０１にてレンズＬＮＳとの通信だけは可能とする。その後は、レンズＬＮＳに対してレンズ駆動電源「切」の通信、つまりレンズ駆動電源供給を断ったことをレンズＬＮＳに対して通知し（＃８０５）、その他の処理を行う（＃８０６）。その後はステップ＃８０１へ戻り、以下同様の動作を繰り返す。
【００３９】
上記のように、レンズＬＮＳのマウント側と逆付アダプタ側の両方にカメラＣＭＲが接続されたとしても、レンズ側が通信経路の優先度を決めて駆動電源「入」許可と不許可を通信経路別に送りわけることで、どちらのカメラの制御を受けられるようにするかを制御することが出来る。
【００４０】
上記の優先度は、マウント側優先、逆付アダプタ側優先、遅いもの勝ち制御など、レンズＬＮＳの制御プログラム次第で決定することが可能となる。また、レンズＬＮＳが両方のカメラに対してスイッチＥＳＷ１ＶＬ，ＥＳＷ２ＶＬを切断することで、両方のカメラともに無効にすることも可能となる。
【００４１】
図９は、上記図８はと別のカメラにレンズＬＮＳが装着された際の、該別のカメラでのシーケンス例を示すフローチャートである。
【００４２】
図９のステップ＃９００にて、レンズＬＮＳが取り付けられたことをカメラ制御用マイコンが検知したものとする。すると、該マイコンはレンズＬＮＳと通信を行い、情報を得る（＃９０１）。この通信によりこのレンズＬＮＳが１番目に取り付けられたカメラであるという信号をレンズから送って来た場合（＃９０２のＹＥＳ）は、レンズ駆動電源「入」を実行する（＃９０４）。一方、１番目ではない場合（＃９０２のＮＯ）は、該カメラがレンズＬＮＳを制御することが出来ない状態なので、カメラの処理としてはレンズ無しを実行し（＃９０３）、レンズＬＮＳが取り付けられていないかのように動作するための設定を行う。そして、いずれの場合も以降のカメラの処理を実行する（＃９０５）。
【００４３】
この例では、レンズＬＮＳに対して先に付けられたカメラが制御の優先権を得るので、早い者勝ちの制御となる。
【００４４】
以上の実施の各形態によれば、一方の装着面と他方の装着面（実施例では、レンズのマウント側とレンズの先端側）に電気接点（群）を有するレンズの、前記電気接点のそれぞれにカメラが接続されている際、あるいは、逆付アダプタを経由してカメラが接続されている際には、前記電気接点のうちの一方を無効（信号の授受（電源供給の要否も含む）を無効にすることを意味する）にする。つまり、例えば先に接続された方の電気接点のみを有効（信号の授受を有効にすることを意味する）にする。
【００４５】
または、一方の装着面と他方の装着面に電気接点を有するレンズの、前記電気接点のそれぞれにカメラが接続されている際、あるいは、逆付アダプタを経由してカメラが接続されている際には、後から付けられた方の電気接点のみを有効にする。
【００４６】
または、マウント側を含む複数の部位に電気接点を有するレンズの、前記マウント側の電気接点と他の電気接点に、カメラが接続されている際、あるいは、逆付アダプタを経由してカメラが接続がされている際には、常にマウント側の電気接点のみを有効にする。
【００４７】
または、マウント側と先端側に電気接点を有するレンズのそれぞれの電気接点に、カメラが接続されている際、あるいは、逆付アダプタを経由してカメラが接続されている際には、常に先端側の電気接点のみを有効にする。
【００４８】
または、一方の装着面と他方の装着面に電気接点を有するレンズの、前記電気接点のそれぞれにカメラが接続されている際、あるいは、逆付アダプタを経由してカメラが接続されている際には、両方の電気接点を無効にする。
【００４９】
また、電源供給と通信のための各接点の無効と有効は連動させない、もしくはレンズとカメラの通信プロトコルとして「電力ください／いらない」という意味の信号の授受を行えるようにすることで、例えば、一旦レンズの両端にカメラをつけて、先端側のカメラが無効にされた後に、有効であったレンズマウント側のカメラが取り外された場合、レンズの先端側のカメラに通信で「電源系の接点、有効にしますので電力をください」といった制御が可能となる。
【００５０】
以上のような制御を行うことにより、上記特許文献１の有する課題であったレンズの逆付アダプタの延長ケーブルを無くすために、レンズの例えばマウント側の電気接点をレンズ先端にも設けた場合に、一つのレンズに対してマウント側の電気接点とレンズ先端側の電気接点との両方から同時にカメラが電気的に接続されないようにすることが出来る。つまり、誤ってレンズの両端側にカメラが電気的に接続されてしまった等の場合、電気接点のいずれか一方のみを有効とするか、両方を無効とし、二つの電気接点からの信号や電力供給が競合する不都合を回避する（不適切な動作を防止する）ことが可能となるレンズ、カメラ、もしくはカメラシステムとすることができる。
【００５１】
（変形例）
上記の実施形態のようにレンズ先端側にアダプタをつけるのではなく、レンズ先端にもレンズマウント側と同様直接カメラに装着可能な接続部（電気接点群）をもつものであっても良い。これは、上記実施形態のレンズと逆付アダプタが一体化しているものと同じである。この場合レンズ形状として、上記実施形態で説明した「レンズマウント側」と「レンズ先端側」が区別つかなくなるが、光学的に無限遠が良好に結像できるときの被写体側をレンズ先端側として区別する、などの方法をとれば、上記実施形態と同様に取り扱うことができる。
【００５２】
【発明の効果】
以上説明したように、本発明によれば、複数の接点を有するレンズに対し、それぞれの接点にカメラが直接もしくはアダプタを介して接続されたとしても、不適切な動作をすることを防止することができるカメラシステム、レンズ又はカメラを提供できるものである。
【図面の簡単な説明】
【図１】本発明の実施の一形態に係る逆付アダプタ対応レンズを示す構成図である。
【図２】図１のレンズと逆付アダプタとカメラの接続関係を示す構成図である。
【図３】本発明の実施の一形態においてカメラのレンズマウント側の電気接点群とレンズのカメラ側の電気接点群を示す図である。
【図４】本発明の実施の一形態においてレンズの逆付アダプタ側の電気接点群と逆付アダプタのレンズ側電気接点群を示す図である。
【図５】図２のカメラの操作部を説明するための上面図である。
【図６】図２に示すカメラシステムの回路構成を示すブロック図である。
【図７】本発明の実施の一形態においてカメラ装着時のレンズ側での動作を示すフローチャートである。
【図８】本発明の実施の一形態においてレンズ装着時のカメラ側での動作を示すフローチャートである。
【図９】本発明の実施の一形態においてレンズ装着時のカメラ側での動作を示すフローチャートである。
【符号の説明】
ＣＭＲ      カメラ
ＬＮＳ      レンズ
ＲＡＤＰ    逆付アダプタ
ＰＲＳ      カメラ制御用マイコン
ＬＰＲＳ    レンズ制御用マイコン
ＣＣＮＴ，ＭＣＮＴ，ＲＣＮＴ，ＬＣＮＴ，ＡＣＮＴ  電気接点群
【図１】
2004361625.tif 000003
【図２】
2004361625.tif 000004
【図３】
2004361625.tif 000005
【図４】
2004361625.tif 000006
【図５】
2004361625.tif 000007
【図６】
2004361625.tif 000008
【図７】
2004361625.tif 000009
【図８】
2004361625.tif 000010
【図９】
2004361625.tif 000011